【事件の表示】
　特願２０００−１６２２５３「液体クロマトグラフ質量分析装置」拒絶査定不服審判事件〔平成１３年１２月１４日出願公開、特開２００１−３４３３６２〕について、次のとおり審決する。
【結　論】
　本件審判の請求は、成り立たない。
【理　由】
　
１．出願の経緯・本願発明
　本願は、平成１２年５月３１日の出願であって、その請求項１に記載された発明は、平成１６年７月２８日付けの手続補正書によって補正された明細書の記載からみて、その特許請求の範囲の請求項１に記載された次の事項により特定されるとおりのものと認める。
「液体クロマトグラフ部から与えられる液体試料を略大気圧にあるイオン化室中に噴霧してイオン化し、そのイオンを第１及び第２中間室を通して、高真空下にある質量分析室内に配置された質量分離器に導入するインタフェースを備えた液体クロマトグラフ質量分析装置において、
a)前記イオン化室から前記第１中間室へイオンを含む微細液滴を輸送するための脱溶媒管と、
b)該第１中間室中に配設され、イオン光軸に沿って複数並設された板状電極から成る第１イオンレンズと、
c)前記第２中間室中に配設され、イオン光軸の周囲に配設された２ｎ（ｎは２以上）本のロッド状電極から成る第２イオンレンズと、
d)前記脱溶媒管に直流電圧を印加するための第１電圧発生手段と、
e)前記第１イオンレンズを構成する各板状電極にそれぞれ高周波電圧と直流電圧とを重畳した電圧を印加するための第２電圧発生手段と、
f)前記第２イオンレンズを構成する各ロッド状電極にそれぞれ高周波電圧と直流電圧とを重畳した電圧を印加するための第３電圧発生手段と、
g)イオンの通過効率が良好になるような、脱溶媒管、第１イオンレンズ及び第２イオンレンズへの印加電圧に関する各質量数に対応した離散的な複数のデータに基づき、電圧走査パターンを作成するパターン作成手段と、
h)前記電圧走査パターンを保持しておく記憶手段と、
i)分析対象の質量数に応じて前記質量分離器に適宜の電圧を印加する際に、前記記憶手段の保持電圧走査パターンに基づいた電圧を脱溶媒管、第１イオンレンズ及び第２イオンレンズへそれぞれ印加するように、第１、第２及び第３電圧発生手段を制御する制御手段と、
を備えることを特徴とする液体クロマトグラフ質量分析装置。」（以下、「本願発明」という。）
　
　
２．刊行物の記載
（１）原査定の拒絶の理由に引用された、本願出願日前の平成１２年５月３０日に頒布された特開２０００−１４９８６５号公報（以下、「刊行物１」という。）には、図面と共に次の事項が記載されている。
　
（１ａ）質量分析装置の全体構成について
「【０００２】
【従来の技術】図７は、従来のＥＳＰ−ＭＳの一例を示す概略構成図である。このＭＳは、例えば液体クロマトグラフ装置のカラムの出口端に接続されたノズル１１が配設されて成るイオン化室１０と、四重極フィルタ１９及びイオン検出器２０が内設された分析室１８との間に、それぞれ隔壁で隔てられた第１中間室１２及び第２中間室１５が設けられている。イオン化室１０と第１中間室１２との間は細径の脱溶媒パイプ１３を介して、第１中間室１２と第２中間室１５との間は極小径の通過孔（オリフィス）を有するスキマー１６を介してのみ連通している。
【０００３】イオン化室１０内はノズル１１から連続的に供給される試料液の気化分子によりほぼ大気圧になっており、第１中間室１２内はロータリポンプ（ＲＰ）により約１０２Paの低真空状態まで真空排気される。また、第２中間室１５内はターボ分子ポンプ（ＴＭＰ）により約１０−１〜１０−２Paの中真空状態まで真空排気され、分析室１８内はターボ分子ポンプ（ＴＭＰ）により約１０−３〜１０−４Paの高真空状態まで真空排気される。即ち、イオン化室１０から分析室１８に向かって各室毎に真空度を高くすることにより、分析室１８内が高真空状態に維持されるようにしている。
【０００４】試料液はノズル１１からイオン化室１０内に噴霧（エレクトロスプレイ）され、液滴中の溶媒が蒸発する過程で試料分子はイオン化される。イオンが入り混じった液滴はイオン化室１０と第１中間室１２との圧力差により脱溶媒パイプ１３中に引き込まれ、脱溶媒パイプ１３を通過する過程で更にイオン化が進む。第１中間室１２内にはリング状電極１４が設けられており、リング状電極１４は電界により脱溶媒パイプ１３を介してのイオンの引き込みを助けるとともに、イオンをスキマー１６のオリフィス近傍に収束させる。
【０００５】スキマー１６のオリフィスを通って第２中間室１５に導入されたイオンは、イオンレンズ１７により収束及び加速された後に分析室１８へと送られる。分析室１８では、特定の質量数（質量ｍ／電荷ｚ）を有するイオンのみが四重極フィルタ１９中央の長手方向の空間を通り抜け、イオン検出器２０に到達して検出される。」（段落【０００２】−段落【０００５】）
　
　そして、刊行物１の図７には上記の記載に対応した構成が図示され、ノズル１１が配設されたイオン化室１０、脱溶媒パイプ１３、第１中間室１２、第１中間室内に配設されたリング状電極１４、スキマー１６、第２中間室１５、第２中間室内に配設されたイオンレンズ１７、四重極フィルタ１９及びイオン検出器２０が内接された分析室１８を有する質量分析装置が図示されている。 
 　
（１ｂ）マルチポール型のイオンレンズについて
「【０００６】上記構成において、イオンレンズ１７は飛行するイオンを電界によって収束しつつ加速するものであって、従来より種々の形状のものが提案されている。図８は図７に図示したイオンレンズ１７として利用されている、いわゆる静電レンズの構成を示す斜視図である。このイオンレンズ２１は、複数のドーナツ形状の金属板から成るレンズ電極から構成されており、各電極には同一の直流電圧が印加される。この直流電圧を適宜に調整することにより、イオン光軸Ｃ近傍を通過するイオンを加速することができる。しかしながら、このような構造のイオンレンズでは特に圧力が高い場合（１０−１Pa以上）のイオンの収束効果が必ずしも高くなく、例えばコーン状に広がりつつ通過しようとするイオンの一部のみしか後段へ送ることができない。
【０００７】これに対し、図９に示すようなマルチポール型（この例では４本だが６、８本など偶数であればよい）のイオンレンズ２２も実用化されている。隣接する電極（例えば符号２２１と２２３が付された電極）には、同一の直流電圧にそれぞれ位相が反転した高周波電圧が重畳された電圧が印加される。この高周波電場により、イオン光軸Ｃの延伸方向に導入されたイオンは所定の周期で振動しながら進む。このため、イオンの収束効果が高く、より多くのイオンを後段へ送ることができる。」（段落【０００６】−【０００７】）
　
　そして、刊行物１の図９には、イオン光軸Ｃの周りにポール状のロッド電極が４本配設されたイオンレンズが図示されている。
　
（１ｃ）第１中間室で使用されるイオンレンズ及び脱溶媒パイプ、イオンレンズ及び四重極フィルタへの電圧印加について
「【００２８】実施例４の質量分析装置は、上述したような質量数に依るイオンの収束効率のばらつきを改善するものである。この質量分析装置では、イオンレンズ６０の構成は上記実施例２と同じであって、レンズ電極６１１〜６１５、６２１〜６２５の内接円がイオンの進行方向に向かって小さくなるように構成されている。その特徴は各レンズ電極６１１〜６１５、６２１〜６２５に印加される電圧にある。
【００２９】即ち、実施例４の質量分析装置では、１組の（つまり１本のロッド電極に相当する）５枚のレンズ電極６２１〜６２５のうち、入口側の３枚のレンズ電極６２１〜６２３には、共通の直流電圧源７１による直流電圧と高周波電圧源７４による高周波電圧とが重畳された電圧が印加される。また、最後尾の手前のレンズ電極６２４には、直流電圧源７２による直流電圧と高周波電圧源７４による高周波電圧とが重畳された電圧が印加される。更に、最後尾のレンズ電極６２５には、直流電圧源７３による直流電圧と高周波電圧源７４による高周波電圧とが重畳された電圧が印加される。
【００３０】なお、図５では結線を省略しているが、イオン光軸Ｃを挟んで対向する各レンズ電極６１１〜６１５にもそれぞれ上記レンズ電極６２１〜６２５と同一電圧が印加される。また、図５に記載されていない他の１組のレンズ電極には、同一平面内に存在するレンズ電極と同一の直流電圧に位相が反転した高周波電圧が重畳された電圧がそれぞれ印加される。直流電圧源７２、７３、高周波電圧源７４は制御部７０により制御される。」（段落【００２８】−【００３０】）
　
　そして、図５には、第１中間室内にあるイオン光軸Ｃにそって複数並設された円盤形状金属板からなるレンズ電極６１１〜６１５及び６２１〜６２５を有するイオンレンズ、脱溶媒パイプ１３に対して直流電圧を印加する直流電圧源Ｖｄ２、イオンレンズのレンズ電極に対して直流電圧と高周波電圧とが重畳された電圧を印加する直流電圧源７１、７２、７３と高周波電圧源７４、四重極フィルタ１９に対して電圧を印加する電圧発生部７５、直流電圧源７２、７３、高周波電圧源７４及び電圧発生部７５を制御する制御部７０が図示されている。
　
（１ｄ）制御部における電圧の制御について
「【００３１】図６は、実施例４の質量分析装置の動作を説明するための図である。質量走査による分析を行う場合には、制御部７０は、四重極フィルタ１９への印加電圧が図６（ａ）に示すようにスロープ状（又は細かい階段状）に変化するように電圧発生部７５を制御する。このような電圧に応じて、四重極フィルタ１９の長軸方向の空間に導入されたイオンのうち、まず質量数の最も小さなイオンが四重極フィルタ１９を通過して検出器に到達し、電圧走査に応じて四重極フィルタ１９を通過するイオンの質量数は徐々に大きなものとなる（図６（ｂ）参照）。
【００３２】制御部７０は、四重極フィルタ１９への印加電圧の走査と同期して、直流電圧源７２、７３、高周波電圧源７４の電圧が図６（ｃ）、（ｄ）に示すように変化すべく制御する。即ち、四重極フィルタ１９を通過させるべき質量数が大きくなるほど、レンズ電極６２４、６２５への直流印加電圧を高くする。正イオンがイオンレンズ６０を通過しようとする場合、上述のような電圧変化はイオンの速度を減速させるように作用するから、質量数が大きくなるほど減速効果が顕著になる。従って、大きな初期運動エネルギを付与されて相対的に速く進むイオンの速度は、イオンレンズ６０の後半部へ進むと急に減速されて、周囲の電界の影響を受け易くなり、良好に後方焦点位置Ｆに収束する。これにより、実施例４の質量分析装置では、通過させるイオンの質量数に依る通過効率の差が少なくなる。」（段落【００３１】、【００３２】）
　
　そして、刊行物１の図６には、制御部によって制御される、四重極フィルタへの印加電圧、レンズ電極への直流印加電圧、レンズ電極への高周波印加電圧の分析対象の質量数に応じた走査パターンが図示されている。
　
（１ｅ）電極板への印加電圧の直流電圧成分を質量数に応じて変えることの効果について
「また、イオンレンズを構成する電極板への印加電圧の直流電圧成分を質量数に応じて変える構成とすれば、イオンレンズでのイオンの収束が質量数に応じて適切に行われるため、通過するイオンの質量数に拘わらず、後段へ多くのイオンを送ることができ、分析精度や再現性の向上に寄与する。」（段落【００１６】）
　
（２）原査定の拒絶の理由に引用された、本願出願日前の平成１１年３月５日に頒布された特開平１１−６４２８９号公報（以下、「刊行物２」という。）には、図面と共に次の事項が記載されている。
　
（２ａ）質量分析器の全体構成について
「【００１２】
【実施例】本発明の一実施例である液体クロマトグラフ質量分析装置（ＬＣ／ＭＳ）を図１及び図２により説明する。本実施例ではイオン化インタフェイスとしてＥＳＩを利用している。このＬＣ／ＭＳでは、ノズル１１が配設された大気圧下の霧化室１０と質量分析器４１（図１では四重極フィルタを示したが、磁場型質量分析器等、他の質量分析器であってもよい）が配設された高真空の質量分析室４０との間に、第１及び第２中間真空室２０、３０が設けられている。霧化室１０と第１中間真空室２０との間にはヒーテッドキャピラリ２１が、第１中間真空室２０と第２中間真空室３０との間には極小径の通過孔を有するスキマー３１が設けられている。
・・・・・・
【００１４】前段の液体クロマトグラフ（ＬＣ）部のカラムに連結されているノズル１１には第１電圧発生部１５が接続され、イオン化用の数ｋＶ程度の高電圧が印加される。第１偏向電極１２には第２電圧発生部１６が接続されるが、図２に示すように、第２電圧発生部１６は各電極板１２ａ〜１２ｄ毎に独立に電圧を印加する４個の電圧発生ユニット１６ａ〜１６ｄから成る。ヒーテッドキャピラリ２１はヒータ２３により加熱され、第３電圧発生部２５からの電圧が印加される。第１中間真空室２０内の第２偏向電極２２についても、第１偏向電極１２と同様、第４電圧発生部２６は各電極板毎に独立に電圧を印加できるようになっている。第２中間真空室３０内のレンズ電極３２には第５電圧発生部３５から電圧が印加される。そして、質量分析器４１の各電極棒には、第６電圧発生部４５からＡＣ＋ＤＣ電圧が印加される。」（段落【００１２】−【００１４】）
　
（２ｂ）電圧発生部に対する制御について
「【００１５】これら第１から第６電圧発生部１５、１６、２５、２６、３５、４５はすべて制御部５０に接続され、制御部５０からの電圧制御信号を受けてそれに応じた電圧を各電極等に印加する。制御部５０はまた、質量分析器４１の検出器４２にも接続され、その検出信号を受ける。制御部５０はマイクロコンピュータを中心に構成されており、ノズル１１に供給された試料溶液を最適にイオン化すると共に、発生した目的イオンを無駄なく質量分析器４１へ導入するために、第１〜第５電圧発生部１５、１６、２５、２６、３５を以下のように制御する。
【００１６】まず、試料溶液をイオン化する前に、第２電圧発生部１６を構成する４個の電圧発生ユニット１６ａ〜１６ｄにそれぞれ所定の初期電圧信号を与え、各電極板１２ａ〜１２ｄに所定の初期電圧を印加する。また、他の電圧発生部１５、２５、２６、３５に対しても所定の初期電圧信号を与え、それぞれを動作状態にする。この状態で標準試料（未知試料でもよい）をノズル１１に導入し、それをイオン化して質量分析器４１の検出器４２からの信号を入力する。そして、各電極板１２ａ〜１２ｄに印加する電圧の値を変化させつつ検出器４２からの信号をモニタし、検出信号が最大となる印加電圧の組を探す。
【００１７】同様に、必要に応じて、ノズル１１、ヒーテッドキャピラリ２１、第２偏向電極２２及びレンズ電極３２に印加する電圧を調整し、検出器４２の出力が最大となるようにする。これらはもちろん、予めストアされたプログラムにより自動的に行なわれる。
【００１８】以上のように、各電圧発生部１５、１６、２５、２６、３５の制御パラメータを最適に設定した後、未知試料の分析を行なう。すなわち、ＬＣ部のカラムから供給される試料溶液は、適度に（例えば２００〜４００℃）に加熱された細径のノズル１１を通って大気圧下に噴霧される。噴出した液滴は大気圧のガス分子と衝突し、更に微細な液滴に粉砕され、速やかに乾燥して（脱溶媒化されて）試料分子が気化する。この気体微粒子は放電電極からのコロナ放電により生成されるバッファイオンと接触し、化学反応を生じてイオン化される。
【００１９】イオン化された試料及び一部微細な荷電液滴となっている試料は、第１偏向電極１２の４枚の電極板１２ａ〜１２ｄにより形成される電界で収束され、ヒーテッドキャピラリ２１の開口に導かれる。上記の通り、４枚の電極板１２ａ〜１２ｄに印加される電圧は予め質量分析器４１の検出器４２における検出値が最大・最適となるように予め設定されているため、この設定により最大の検出感度が得られる。」（段落【００１５】−段落【００１９】）
　
（２ｃ）ヒーテッドキャピラリについて
「上記ＡＰＣＩ又はＥＳＩのいずれの方法でも、生成したイオンを含む液滴は加熱されているヒーテッドキャピラリ８２の中に飛び込み、ヒーテッドキャピラリ８２を通ってＭＳ部９０へ輸送される間に、液滴中の溶媒の蒸発（脱溶液化）が進む。」（段落【０００４】）
　
　
３．本願発明と刊行物１記載の発明との対比
（１）刊行物１記載の発明
　刊行物１の図７に図示された質量分析装置のノズル１１は液体クロマトグラフ装置のカラムの出口端に接続され、イオン化室はほぼ大気圧で分析室内は高真空状態である（上記（１ａ）参照）。
　第１中間室内に配設されるイオンレンズとして、刊行物１には、イオン光軸Ｃに沿って複数並設された円盤形状金属板からなるレンズ電極を有するイオンレンズが配設されることが記載されている（上記（１ｃ）参照）。
　また、第２中間室内に配設されるイオンレンズについて、イオンレンズとして従来より種々の形状のものが提案されていたこと、図７に図示したイオンレンズ１７として利用されている静電レンズに対し、図９に示すようなイオン光軸Ｃの周りにポール状のロッド電極が偶数本配設されたマルチポール型イオンレンズが実用化されていたことが記載されており（上記（１ｂ）参照）、刊行物１には、図７のイオンレンズ１７の代わりにマルチポール型イオンレンズが使用できることが示唆されているものと認められる。
　また、電圧印加手段について、図５には、脱溶媒パイプに対して直流電圧を印加する手段、第１中間室内のイオンレンズに対して直流電圧と高周波電圧とを重畳した電圧を印加する手段、四重極フィルタに対して直流電圧と高周波電圧とを重畳した電圧を印加する電圧発生部が記載されており（上記（１ｃ）参照）、マルチポール型イオンレンズに対する電圧印加として、隣接する電極に、同一の直流電圧にそれぞれ位相が反転した高周波電圧が重畳された電圧が印加されることが記載されている（上記（１ｂ）参照）。
　また、制御部は、四重極フィルタへの印加電圧の走査と同期して、第１中間室内のイオンレンズに対する直流電圧源と高周波電圧源の電圧を図６の電圧走査パターンに示すように変化すべく制御し、四重極フィルタを通過させるべき質量数が大きくなるほど第１中間室内のイオンレンズへの直流印加電圧を高くするようにするものである（上記（１ｄ）参照）。
　
　そうすると、刊行物１には、
「液体クロマトグラフ装置のカラムの出口端に接続されるノズルが配設され、ほぼ大気圧にあるイオン化室、第１中間室、第２中間室、四重極フィルタ及びイオン検出器が内接された高真空状態の分析室を備えた質量分析装置において、
　脱溶媒パイプ、第１中間室内に配設されたイオン光軸に複数並設された円盤形状金属板からなるレンズ電極を有するイオンレンズ、第２中間室内に配設されたイオン光軸の周りにポール状のロッド電極が偶数本配設されたマルチポール型イオンレンズ、脱溶媒パイプに対して直流電圧を印加する手段、第１中間室内のイオンレンズに対して直流電圧と高周波電圧とを重畳した電圧を印加する手段、第２中間室内のマルチポール型イオンレンズの隣接する電極に対して同一の直流電圧にそれぞれ位相が反転した高周波電圧が重畳された電圧を印加する手段、四重極フィルタへの印加電圧の走査と同期して、第１中間室内のイオンレンズに対する直流電圧源と高周波電圧源の電圧を電圧走査パターンに示すように変化すべく制御し、四重極フィルタを通過させるべき質量数が大きくなるほど第１中間室内のイオンレンズへの直流印加電圧を高くするようにする制御部とを備える液体クロマトグラフ質量分析装置」（以下、「刊行物１記載の発明」という。）が記載されているものと認められる。
　
（２）本願発明と刊行物１記載の発明との対比
　そこで、本願発明と刊行物１記載の発明とを対比すると、刊行物１記載の発明の「イオン化室」、「第１中間室」、「第２中間室」、「高真空状態の分析室」、「四重極フィルタ」、「脱溶媒パイプ」、「第１中間室内に配設されたイオン光軸に複数並設された円盤形状金属板からなるレンズ電極を有するイオンレンズ」、「第２中間室内に配設されたイオン光軸の周りにポール状のロッド電極が４本配設されたマルチポール型イオンレンズ」、「脱溶媒パイプに対して直流電圧を印加する手段」、「第１中間室内に配設されたイオンレンズに対して直流電圧と高周波電圧とを重畳した電圧を印加する手段」、「第２中間室内のマルチポール型イオンレンズの隣接する電極に対して同一の直流電圧にそれぞれ位相が反転した高周波電圧が重畳された電圧を印加する手段」、「制御部」は、それぞれ、本願発明の「イオン化室」、「第１中間室」、「第２中間室」、「高真空下にある質量分析室」、「質量分離器」、「脱溶媒管」、「該第１中間室中に配設され、イオン光軸に沿って複数並設された板状電極から成る第１イオンレンズ」、「第２中間室中に配設され、イオン光軸の周囲に配設された２ｎ（ｎは２以上）本のロッド状電極から成る第２イオンレンズ」、「脱溶媒管へ直流電圧を印加するための第１電圧発生手段」、「第１イオンレンズを構成する各板状電極にそれぞれ高周波電圧と直流電圧とを重畳した電圧を印加するための第２電圧発生手段」、「第２イオンレンズを構成する各ロッド状電極にそれぞれ高周波電圧と直流電圧とを重畳した電圧を印加するための第３電圧発生手段」、「制御手段」に相当する。
　そして、刊行物１記載の発明の制御部と本願発明の制御手段とは、分析対象の質量数に応じて前記質量分離器に適宜の電圧を印加する際に、電圧走査パターンに基づいた電圧を第１中間室内のイオンレンズへ印加するように電圧発生手段を制御する点で共通する。
　さらに、刊行物１記載の発明の「電圧走査パターン」は、電圧走査パターンに示すように変化すべく電圧を制御することにより、イオンレンズでのイオンの収束が質量数に応じて適切に行われるため、通過するイオンの質量数に拘わらず、後段へ多くのイオンを送ることができるもの（上記（１ｅ）参照）、つまり、イオンの通過効率が良好になるような電圧走査パターンであると認められ、してみれば、刊行物１記載の発明の電圧走査パターンと本願発明の電圧走査パターンとは「イオンの通過効率が良好となる」パターンである点で共通する。
　
　すると、本願発明と刊行物１記載の発明とは、次の点で一致する。
＜一致点＞
「液体クロマトグラフ部から与えられる液体試料を略大気圧にあるイオン化室中に噴霧してイオン化し、そのイオンを第１及び第２中間室を通して、高真空下にある質量分析室内に配置された質量分離器に導入するインタフェースを備えた液体クロマトグラフ質量分析装置において、
　前記イオン化室から前記第１中間室へイオンを含む微細液滴を輸送するための脱溶媒管と、
　該第１中間室中に配設され、イオン光軸に沿って複数並設された板状電極から成る第１イオンレンズと、
　前記第２中間室中に配設され、イオン光軸の周囲に配設された２ｎ（ｎは２以上）本のロッド状電極から成る第２イオンレンズと、
　前記脱溶媒管に直流電圧を印加するための第１電圧発生手段と、
　前記第１イオンレンズを構成する各板状電極にそれぞれ高周波電圧と直流電圧とを重畳した電圧を印加するための第２電圧発生手段と、
　前記第２イオンレンズを構成する各ロッド状電極にそれぞれ高周波電圧と直流電圧とを重畳した電圧を印加するための第３電圧発生手段と、
　分析対象の質量数に応じて前記質量分離器に適宜の電圧を印加する際に、イオンの通過効率が良好となるような電圧走査パターンに基づいた電圧を第１イオンレンズへ印加するように、第２電圧発生手段を制御する制御手段と、
を備えることを特徴とする液体クロマトグラフ質量分析装置。」
　
　一方で、両者は、次の点で相違する。
＜相違点１＞
　本願発明は、電圧走査パターンに基づいて、脱溶媒管、第１イオンレンズ及び第２イオンレンズのそれぞれに電圧を印加する第１、第２及び第３電圧発生手段を制御するのに対して、刊行物１記載の発明は、第１中間室のイオンレンズへの電圧発生手段のみ制御し、脱溶媒パイプ、及び、第２中間室のイオンレンズに対して電圧走査パターンに基づいた電圧発生手段の制御を行わない点。
　
＜相違点２＞
　イオンの通過効率が良好になるような電圧走査パターンを作成する手段として、本願発明においては、脱溶媒管、第１イオンレンズ及び第２イオンレンズへの印加電圧に関する各質量数に対応した離散的な複数のデータに基づき、電圧走査パターンを作成するパターン作成手段を有し、さらに、前記電圧走査パターンを保持しておく記憶手段を有するのに対して、刊行物１には、図６の電圧走査パターンの作成手段及び電圧走査パターンを保持しておく記憶手段に関する記載がない点。
　
　
４．相違点についての検討
　上記相違点１について検討するに、刊行物２には、ノズルが配設された大気圧下の霧化室、脱溶液のためのヒーテッドキャピラリ、第１中間真空室、第２中間真空室、質量分析器が配設された高真空の質量分析室、第１中間真空室内の第２偏向電極、第２中間真空室内のレンズ電極、ヒーテットキャピラリへ電圧を印加する第３電圧発生部、第２偏向電極に対して電圧を印加する第４電圧発生部、レンズ電極に対して電圧を印加する第５電圧発生部、質量分析器に対して電圧を印加する第６電圧発生部を有する液体クロマトグラフ質量分析装置であって（上記（２ａ）、（２ｃ）参照）、標準試料（未知試料でもよい）をノズルに導入し、それをイオン化して質量分析器の検出器からの信号を入力し、ノズル、ヒーテッドキャピラリ、第２偏向電極及びレンズ電極に印加する電圧を調整し、検出信号が最大となるような印加電圧の組を探し、各電圧発生部の制御パラメータを最適に設定すること（上記（２ｂ）参照）が記載されている。
　刊行物２には、液体クロマトグラフ質量分析装置において、最大の検出信号を得るために、第１中間真空室内の電極に対する印加電圧だけでなく、脱溶液のためのヒーテットキャピラリや第２中間真空室内のレンズ電極に対する印加電圧も調整することが示されており、刊行物２の記載より、刊行物１記載の発明において、電圧走査パターンに基づいて第１中間室内のイオンレンズに対して行う電圧制御を、脱溶媒パイプ及び第２中間室内のイオンレンズに対しても行う構成とすることは、当業者が容易になし得る事項である。
　
　上記相違点２について検討するに、刊行物１の図６の電圧走査パターンはイオンレンズでのイオン収束を質量数に応じて適切に行うためのパターンであり（上記（１ｅ）参照）、質量数は離散的な複数の値をとるものであるから、質量数に対応する最適な電圧走査パターンを、印加電圧に関する各質量数に対応した離散的な複数のデータに基づいて作成することは当業者が普通に採用することである。
　また、装置を動作させる設定値を予め求めて記憶しておき、後の装置の動作に用いることは周知の技術であるから、電圧走査パターンを作成する際、得られた電圧走査パターンを記憶させる記憶手段も設けることは、当業者が当然行うことである。
　したがって、刊行物１記載の発明において、図６の電圧走査パターンを作成する手段、及び、電圧走査パターンを作成する手段によって作成された電圧走査パターンを記憶する手段を設けることは、当業者が本願出願前周知の技術的事項に基づいて適宜なし得る事項である。
　
　そして、本願発明の作用効果も、刊行物１記載の発明、刊行物２記載の発明、及び上記周知の技術的事項から、当業者が予測できる範囲のものである。
　
５．むすび
　以上のとおり、本願発明は、刊行物１記載の発明、刊行物２記載の発明、及び周知の技術的事項に基づいて当業者が容易に発明をすることができたものであるから、特許法第２９条第２項の規定により特許を受けることができない。
　
　したがって、その余の請求項に係る発明について検討するまでもなく、本件出願は拒絶するべきものである。
　
　よって、結論のとおり審決する。